(57)【要約】地理的エリアにおける人口分布の調査に供するデータを速やかに（準リアルタイムに）提供できる移動体通信システム。無線ネットワーク制御装置（３００）は、周期的に、あるいは発信／位置登録要求に際して、各移動機（１００）がどの基地局（２００）のどのセクタのどこに位置しているかを測位計算により測定し、位置を含んだメッセージを交換機（４００）へと送信する。交換機（４００）は、測位した時刻を含んだ情報を情報分析装置（６００）へと送信する。情報分析装置（６００）は、ユーザＩＤごとに、位置、時刻、及び測位された契機の種別を保持し、それらに基づいて分布を求めたい時刻に各移動機（１００）が存在したであろう位置を算出し、それらを各エリア単位に対応付けて人口分布としてプロットする。
2010116900.tif 000002
【特許請求の範囲】
【請求項１】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムであって、
前記無線ネットワーク制御装置は、
所定の契機に前記移動機の位置を測位する測位部と、
前記測位部が測位した前記移動機の位置に関する情報としての位置情報、該移動機を一意に識別可能とする識別子としての識別情報、及び前記測位部が前記移動機の位置を測位した時刻に関する情報としての時刻情報を前記情報分析装置に送信する送信部と、を備え、
前記情報分析装置は、
所定の時刻において前記移動機が存在する位置に関する算出位置情報を、前記位置情報、前記識別情報、及び前記時刻情報に基づいて算出する位置算出部と、
前記算出位置情報を統合することによって分布情報を算出し、算出した分布情報を出力する出力部と、を備える
通信システム。
【請求項２】
前記測位部は、
前記移動機が発信を行ったとき、
前記移動機が通信を受信したとき、
前記基地局により形成される領域であって前記移動機が自己の位置を前記無線ネットワーク制御装置に対して登録する単位領域である位置登録エリア、の境界を超えて前記移動機が移動したとき、及び、
所定の周期の所定タイミングが到来したとき、
のうち少なくとも何れか一つを契機として、前記移動機の位置を測位する請求項１に記載された通信システム。
【請求項３】
前記情報分析装置は、前記位置算出部が算出した算出位置情報の表現形式を、一定の範囲の広がりをもつエリア単位に対応付けて表現する表現形式へと変換する対応付け部を更に備える請求項１又は２に記載の通信システム。
【請求項４】
前記情報分析装置は、前記通信システムを利用するユーザの属性を表す属性情報を、前記識別情報と関連付けて保持する属性情報保持部と、
前記算出位置情報を前記分布情報を出力するために用いるべきか否かを、前記属性情報に基づいて判断する属性判断部と、
を更に備える請求項１〜３の何れか１項に記載の通信システム。
【請求項５】
前記情報分析装置は、前記算出位置情報を前記分布情報を出力するために用いるべきか否かを、前記測位部が前記移動機を測位する契機に基づいて判断する取得契機判断部を更に備える請求項１〜４の何れか１項に記載の通信システム。
【請求項６】
移動機が在圏するセクタを制御する基地局を制御する無線ネットワーク制御装置と通信可能な状態で接続された情報分析装置であって、
前記無線ネットワーク制御装置が所定の契機に測位した前記移動機の位置に関する情報としての位置情報と、該移動機を一意に識別可能とする識別子としての識別情報と、前記無線ネットワーク制御装置が前記移動機を測位した時刻に関する情報としての時刻情報と、を受信する受信部と、
所定の時刻において前記移動機が存在する位置に関する算出位置情報を、前記位置情報、前記識別情報、及び前記時刻情報に基づいて算出する位置算出部と、
前記算出位置情報を統合することによって分布情報を算出し、算出した分布情報を出力する出力部と、
を備える情報分析装置。
【請求項７】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムにおいて実行される情報分析方法であって、
前記無線ネットワーク制御装置が、前記移動機の位置を所定の契機に測位する測位ステップと、
前記無線ネットワーク制御装置が、前記測位ステップにおいて測位された前記移動機の位置に関する情報としての位置情報、該移動機を一意に識別可能とする識別子としての識別情報、及び前記測位ステップにおいて前記移動機の位置が測位された時刻に関する情報としての時刻情報を前記情報分析装置に送信する送信ステップと、
前記情報分析装置が、所定の時刻における前記移動機が存在する位置に関する算出位置情報を、前記位置情報、前記識別情報、及び前記時刻情報に基づいて算出する位置算出ステップと、
前記情報分析装置が、前記算出位置情報を統合することによって分布情報を算出し、算出した分布情報を出力する出力ステップと、
を備える情報分析方法。
【発明の詳細な説明】
【技術分野】
【０００１】
本発明は、人口分布数の算出を行う情報分析装置及び情報分析方法、並びに、情報分析装置を含んで構成される通信システムに関する。
【背景技術】
【０００２】
従来、巨視的な人口分布に関するデータを収集する手法として、５年周期で全国的に実施される国勢調査があった。この調査は、対象者に対しアンケートを配布して回収し、多くの人手を使って集計するなどの非常に手間のかかる一連の作業が必要であり、調査結果を得るまでに時間がかかっていた。また、回答する対象者にとってもアンケートに記入して返送するといった負担を強いるものであった。
【先行技術文献】
【特許文献】
【０００３】
【特許文献１】特開２００３−４４９６９号公報
【発明の概要】
【発明が解決しようとする課題】
【０００４】
上記のように、従来は巨視的な人口分布に関するデータを収集するだけでも非常に面倒であり、かかるデータを簡易に且つ速やかに収集し、且つ調査結果を得ることは困難であった。【０００５】
一方、携帯端末を利用して人口分布を得る試みとして例えば特許文献１には、ＧＰＳ機能付き携帯端末を利用して人口の分布を求める点について記載されているが、この技術でも、対象とするユーザの全員に対して、ユーザ全員が一意に識別可能である識別子が付加されているＧＰＳ内蔵機器を配布する、及びＧＰＳを用いて測位した情報を一人一人収集する等人口分布を求めるための処理負荷と時間を要する。そのため、より簡易且つ速やかな人口分布に関するデータを収集し、及び調査する技術が待望されていた。【０００６】
本発明は、上記課題に鑑み、巨視的な人口分布に関するデータを簡易に且つ速やかに収集し、簡易に且つ速やかに調査結果を得ることを目的とする。
【課題を解決するための手段】
【０００７】
前記課題を解決するため、本発明の一側面に係る通信システムは、基地局が制御するセクタに在圏する移動機と、基地局を制御する無線ネットワーク制御装置と、無線ネットワーク制御装置と通信可能な状態で接続された情報分析装置と、を含んで構成される通信システムであって、無線ネットワーク制御装置は、所定の契機に移動機の位置を測位する測位部と、測位部が測位した移動機の位置に関する情報としての位置情報、該移動機を一意に識別可能とする識別子としての識別情報、及び測位部が移動機の位置を測位した時刻に関する情報としての時刻情報を情報分析装置に送信する送信部と、を備え、情報分析装置は、所定の時刻において移動機が存在する位置に関する算出位置情報を、位置情報、識別情報、及び時刻情報に基づいて算出する位置算出部と、算出位置情報を統合することによって分布情報を算出し、算出した分布情報を出力する出力部と、を備える。【０００８】
この構成により、移動機の位置情報、及び測位された時刻に関する情報を簡易に且つ速やかに収集して、それらの情報に基づいて移動機の算出位置情報を統合した分布情報を出力することにより、巨視的な人口分布に関するデータ調査結果を簡易に且つ速やかに得ることが可能となる。【０００９】
また、測位部は、移動機が発信を行ったとき、移動機が通信を受信したとき、前記基地局により形成される領域であって前記移動機が自己の位置を前記無線ネットワーク制御装置に対して登録する単位領域である位置登録エリア、の境界を超えて前記移動機が移動したとき、及び、所定の周期の所定タイミングが到来したとき、のうち少なくとも何れか一つを契機として、移動機の位置を測位してもよい。【００１０】
移動機が発信を行ったとき、移動機が通信を受信したとき、及び、基地局により形成される領域であって移動機が自己の位置を無線ネットワーク制御装置に対して登録する単位領域である位置登録エリア、の境界を超えて移動機が移動したとき、に測位することによって、各種通信機器への追加的な付加を抑制した上で測位を実行することが可能となる。【００１１】
所定の周期の所定タイミングが到来したときに測位を行うことによって、必ず該所定の周期に一度は測位を実行することが可能となる。【００１２】
また、情報分析装置は、位置算出部が算出した算出位置情報の表現形式を、一定の範囲の広がりをもつエリア単位に対応付けて表現する表現形式へと変換してもよい。【００１３】
エリア単位を所望の単位（例えば１００メートル四方、１０キロメートル四方、或いは市町村など行政区画）とすることによって要求に応じた精度で分布情報を出力することが可能となる。【００１４】
また、情報分析装置は、通信システムを利用するユーザの属性を表す属性情報を、識別情報と関連付けて保持する属性情報保持部と、算出位置情報を分布情報を出力するために用いるべきか否かを、属性情報に基づいて判断する属性判断部と、を更に備えてもよい。【００１５】
この構成により、所望の属性毎の分布情報を出力することが可能となる。【００１６】
また、情報分析装置は、算出位置情報を分布情報を出力するために用いるべきか否かを、測位部が移動機を測位する契機に基づいて判断する取得契機判断部を更に備えてもよい。【００１７】
この構成により、測位部が移動機の位置を測位した契機毎の分布情報を出力することが可能となる。【００１８】
上記課題を解決するために、本発明の一側面に係る情報分析装置は、移動機が在圏するセクタを制御する基地局を制御する無線ネットワーク制御装置と通信可能な状態で接続された情報分析装置であって、無線ネットワーク制御装置が所定の契機に測位した移動機の位置に関する情報としての位置情報と、該移動機を一意に識別可能とする識別子としての識別情報と、無線ネットワーク制御装置が移動機を測位した時刻に関する情報としての時刻情報と、を受信する受信部と、所定の時刻において移動機が存在する位置に関する算出位置情報を、位置情報、識別情報、及び時刻情報に基づいて算出する位置算出部と、算出位置情報を統合することによって分布情報を算出し、算出した分布情報を出力する出力部と、を備える。【００１９】
この構成により、移動機の位置情報、及び測位された時刻に関する情報を簡易に且つ速やかに収集して、それらの情報に基づいて移動機の算出位置情報を統合した分布情報を出力することにより、巨視的な人口分布に関するデータ調査結果を簡易に且つ速やかに得ることが可能となる。【００２０】
上記課題を解決するために、本発明の一側面に係る情報分析方法は、基地局が制御するセクタに在圏する移動機と、基地局を制御する無線ネットワーク制御装置と、無線ネットワーク制御装置と通信可能な状態で接続された情報分析装置と、を含んで構成される通信システムにおいて実行される情報分析方法であって、無線ネットワーク制御装置が、移動機の位置を所定の契機に測位する測位ステップと、無線ネットワーク制御装置が、測位ステップにおいて測位された移動機の位置に関する情報としての位置情報、該移動機を一意に識別可能とする識別子としての識別情報、及び測位ステップにおいて移動機の位置が測位された時刻に関する情報としての時刻情報を情報分析装置に送信する送信ステップと、情報分析装置が、所定の時刻における移動機が存在する位置に関する算出位置情報を、位置情報、識別情報、及び時刻情報に基づいて算出する位置算出ステップと、情報分析装置が、算出位置情報を統合することによって分布情報を算出し、算出した分布情報を出力する出力ステップと、を備える。【００２１】
この構成により、移動機の位置情報、及び測位された時刻に関する情報を簡易に且つ速やかに収集して、それらの情報に基づいて移動機の算出位置情報を統合した分布情報を出力することにより、巨視的な人口分布に関するデータ調査結果を簡易に且つ速やかに得ることが可能となる。
【発明の効果】
【００２２】
本発明によれば、巨視的な人口分布に関するデータを簡易に且つ速やかに（準リアルタイムに）収集し、簡易に且つ速やかに調査結果を得ることができる。
【図面の簡単な説明】
【００２３】
【図１】第１実施形態の通信システムのシステム構成を示す図である。
【図２】図１に示す通信システムの機能構成を示す図である。
【図３】図２に示すＢＴＳとセクタとの関係を示す図である。
【図４】ユーザＩＤ−ＰＲＡＣＨ  ＰＤ  ＧＡＩ対応情報の例を示す図である。
【図５】算出位置情報の算出方法を説明するための図である。
【図６】セクタボロノイ図を説明するための図である。
【図７】エリア単位と移動情報の関係を説明するための図である。
【図８】算出位置情報の算出方法を説明するための図である。
【図９】算出位置情報の算出方法を説明するための図である。
【図１０】図２に示す属性情報保持部が保持する属性情報の例を示す図である。
【図１１】属性情報とエリア単位の関係を説明するための図である。
【図１２】図２に示す通信システムにおける処理の流れを示す図である。
【図１３】第２実施形態の通信システムのシステム構成を示す図である。
【発明を実施するための形態】
【００２４】
添付図面を参照しながら本発明の実施形態を説明する。可能な場合には、同一の部分には同一の符号を付して、重複する説明を省略する。
【００２５】
［第１実施形態］
［通信システムの構成］
図１は、本実施形態の通信システム１０のシステム構成を示す図である。図１に示すように、この通信システム１０は、移動機１００、ＢＴＳ（基地局）２００、ＲＮＣ（無線ネットワーク制御装置）３００、交換機４００、及び管理センタ５００を含んで構成されている。また、この管理センタ５００は、社会センサユニット５０１、ペタマイニングユニット５０２、モバイルデモグラフィーユニット５０３、及び可視化ソリューションユニット５０４から構成されている。
【００２６】
交換機４００は、ＢＴＳ２００、ＲＮＣ３００を介して、移動機１００の位置情報を収集する。ＲＮＣ３００は、移動機１００との間で通信接続が行われる際に、ＲＲＣコネクション要求信号における遅延値を用いて移動機１００の位置を測定することができる。交換機４００は、このように測定された移動機１００の位置情報を、移動機１００が通信接続を実行する際に受け取ることができる。交換機４００は受け取った位置情報を記憶しておき、所定のタイミング、または管理センタ５００からの要求に応じて収集した位置情報を管理センタ５００に出力する。ここで、一般的に、ＲＮＣ３００は、約千個からなるものであり、日本全国に配置されている。一方で、交換機４００は、３００個程度日本国内に配置されている。
【００２７】
管理センタ５００は、上述したとおり、社会センサユニット５０１、ペタマイニングユニット５０２、モバイルデモグラフィーユニット５０３、及び可視化ソリューションユニット５０４を含んで構成されており、各ユニットでは、移動機１００の位置情報を用いた統計処理を行う。
【００２８】
社会センサユニット５０１は、各交換機４００から移動機１００の位置情報等を含んだデータを収集するサーバ装置である。この社会センサユニット５０１は、交換機４００から定期的に出力されたデータを受信し、及び社会センサユニット５０１において予め定められたタイミングに従って交換機４００からデータを取得するように構成されている。
【００２９】
ペタマイニングユニット５０２は、社会センサユニット５０１から受信したデータを所定のデータ形式に変換するサーバ装置である。例えば、ペタマイニングユニット５０２は、ユーザＩＤをキーに、或いはエリアごとにソーティング処理を行う。
【００３０】
モバイルデモグラフィーユニット５０３は、ペタマイニングユニット５０２において処理されたデータに対する集計処理、すなわち各項目のカウンティング処理を行うサーバ装置である。例えば、モバイルデモグラフィーユニット５０３は、あるエリアに在圏するユーザ数のカウント、或いは在圏分布の集計等をすることができる。
【００３１】
可視化ソリューションユニット５０４は、モバイルデモグラフィーユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００３２】
なお、社会センサユニット５０１、ペタマイニングユニット５０２、モバイルデモグラフィーユニット５０３、及び可視化ソリューションユニット５０４はいずれも、前述したようにサーバ装置により構成され、図示は省略するが、通常の情報処理装置の基本構成（即ち、ＣＰＵ、ＲＡＭ、ＲＯＭ、キーボードやマウス等の入力デバイス、外部との通信を行う通信デバイス、情報を記憶する記憶デバイス、及び、ディスプレイやプリンタ等の出力デバイス）を備えることは言うまでもない。
【００３３】
図２に通信システム１０の機能構成を示す。図２に示すように通信システム１０は、複数のＢＴＳ（基地局）２００それぞれが制御するセクタに在圏する複数の移動機１００と、ＢＴＳ２００を制御するＲＮＣ３００と、交換機４００と、情報分析装置６００と、加入者プロファイル情報記憶部７００と、を含んで構成される。情報分析装置６００は、前述した図１に示したモバイルデモグラフィーユニット５０３及び可視化ソリューションユニット５０４に相当する。図１の社会センサユニット５０１及びペタマイニングユニット５０２に対応する機能に関しては、図２ではこれらの表記を省略している。
【００３４】
ＲＮＣ３００は、測位部３０１及びＲＮＣ通信制御部（送信部）３０２を含んで構成されている。また、交換機４００は、交換機通信制御部４０１、変換部４０２、及び記憶部４０３を含んで構成されている。
【００３５】
情報分析装置６００は、情報分析装置通信制御部（受信部）６０１、対応付け部６０３、出力部６０４、属性情報保持部６０７、属性判断部６０８、位置算出部６０９、及び取得契機判断部６１０を含んで構成されている。
【００３６】
まず、ＲＮＣ３００について説明する。測位部３０１は、後述するＲＮＣ通信制御部３０２がＢＴＳ２００を介して移動機１００と通信接続を行う際に、ＲＲＣコネクション要求信号を用いた処理で発生した遅延値に基づいて、移動機１００が在圏する一のＢＴＳ２００におけるセクタ内の位置（座標）を測定する部分である。このＲＮＣ３００は、所謂ＰＲＡＣＨ  ＰＤ測位計算を行うことによりセクタ内の位置を測定することができる。ここでセクタとは、ＢＴＳ２００における通信エリアを複数に等分した場合の一つの領域を指すものである。なお、通信環境に応じて上記ＰＲＡＣＨ  ＰＤ測位を行うことなうく、移動機１００が在圏するセクタの中心座標を、移動機１００が位置する座標として計測してもよい。
【００３７】
図３は、ＢＴＳ２００とセクタとの関係を示す図である。円形で示されている領域の中心にＢＴＳ２００が位置するものであり、それを中心に複数に等分されたものがセクタである。例えば図３では、ＢＴＳ２００の通信エリアは最大６セクタからなるものであり、ＲＮＣ３００は、移動機１００がそのセクタのいずれにいるかを、ＢＴＳ２００経由で把握することができる。本実施形態では、さらにＲＲＣコネクション要求の処理を行った際に得られる信号の遅延に基づいてセクタ内のどの位置に移動機１００が位置するか、そのＧＡＩ（Geographical  Area  ID）を算出することができる。なお、セクタごとにセクタ識別子が割り当てられており、そのセクタ識別子とセクタ内の位置に基づいて移動機１００の位置を特定することができる。上記環境に応じてＰＲＡＣＨ  ＰＤ測位を行わない場合には、上記計測した移動機１００が在圏するセクタの中心座標を、ＧＡＩとして算出してもよい。
【００３８】
ＲＮＣ通信制御部３０２は、ＢＴＳ２００を介して移動機１００と通信接続を行う部分であり、例えば、移動機１００からの発信処理に基づいた通信接続処理及び位置登録要求に基づいた通信接続処理を行う。本実施形態では、さらにＲＮＣ通信制御部３０２は、通信接続処理に用いられるInitial  UE  Messageに、移動機１００の位置情報を付加して、交換機４００に送信することができる。なお、このInitial  UE  Messageは、発信または位置登録要求を示す指示情報、移動機１００を一意に特定するテンポラリＩＤ等のＩＤ、及び位置情報を含んでいる。なお、テンポラリＩＤとは、移動機１００がネットワークに接続した際に、交換機４００により払い出されたＩＤ情報である。
【００３９】
つぎに、交換機４００について説明する。交換機通信制御部４０１は、ＲＮＣ３００から送信されるInitial  UE  Messageを受信し、このInitial  UE  Messageを用いて通信接続処理を行う部分である。
【００４０】
変換部４０２は、交換機通信制御部４０１により受信されたInitial  UE  Messageに含まれているテンポラリＩＤ等のＩＤを電話番号に変換する部分である。変換部４０２は、変換処理に際して、加入者プロファイル情報を記憶する加入者プロファイル情報記憶部７００から、テンポラリＩＤ等のＩＤに対応付けられている電話番号を抽出し、当該抽出した電話番号に変換する。なお、この加入者プロファイル情報記憶部７００は、例えばＨＬＲ（Home  Location  Register）に備えられているものであり、ここではテンポラリＩＤ等のＩＤと電話番号とを対応付けて管理及び記憶している。
【００４１】
記憶部４０３は、変換部４０２で変換された電話番号とInitial  UE  Messageに含まれている移動機１００の位置情報と当該位置情報が測位された時刻とを対応付けて記憶する部分である。この記憶部４０３に記憶されている位置情報は、交換機通信制御部４０１による通信処理に従って、後述する所定のタイミングまたは管理センタ５００からの要求に応じて収集される。
【００４２】
交換機通信制御部４０１は、記憶部４０３が記憶している電話番号（移動機１００を一意に識別可能とする識別子としての識別情報）、位置情報、及び該位置情報が測位された時刻としての時刻情報を情報分析装置６００へ送信する。
【００４３】
次に、情報分析装置６００について説明する。情報分析装置通信制御部６０１は、交換機４００が送信した電話番号、位置情報、及び時刻情報を受信する部分である。
【００４４】
位置算出部６０９は、情報分析装置通信制御部６０１から電話番号、位置情報、及び時刻情報を入力し、所望の時刻において移動機１００が存在する位置に関する算出位置情報を出力する部分である。
【００４５】
ここで、図４〜７及び図９を参照して、位置算出部６０９が、算出位置情報を算出する方法について説明する。
【００４６】
図４には位置算出部６０９が利用する情報の例を示す。この図に示すように、位置算出部６０９が利用する情報は、時刻情報、位置情報、及び位置情報取得契機が、ユーザＩＤと関連付けられた情報である（以後、この情報のことを「ユーザＩＤ−ＰＲＡＣＨ  ＰＤ  ＧＡＩ対応情報」と称することがある）。
【００４７】
「ユーザＩＤ」について、位置算出部６０９は、ユーザＩＤが電話番号と関連付けられて保持されている保持手段（図示せず）を参照することで、情報分析装置通信制御部６０１から入力した電話番号と関連付けられたユーザＩＤを取得する。
【００４８】
「時刻情報」とは、測位部３０１が位置情報を測位した時刻に関する情報である。「位置情報」とは、上述した方法により所謂ＰＲＡＣＨ  ＰＤ測位計算を行うことにより測位された移動機１００の位置に関する情報、或いは、移動機１００が在圏するセクタの中心座標に関する情報である。位置情報は経度及び緯度で表現してもよい。或いは、基準点を設定して、当該基準点からの相対的な位置で表示してもよい。
【００４９】
「位置情報取得契機」とは、移動機１００の位置情報が測位された契機の種別に関する情報である。移動機１００の位置が測位される契機は（１）所定周期（例えば約一時間周期）の所定タイミングが到来したとき、（２）発着信時、及び（３）位置登録エリアを越えて移動したとき、の少なくとも一つとしてもよい。但し、測位される契機はこれらに限定されるわけではなく、所望の契機を設定可能である。
【００５０】
今、時刻１１時における人口分布を求めたいとする。この場合、位置算出部６０９は、図４に示す情報の中からユーザＩＤ毎に「時刻情報」が１１時の直前（すなわち１１時以前であって最も１１時に近い時刻）である情報を選別する。選別される情報の例を図５に示す。例えば、ユーザＩＤが“１２３”であるユーザが所有する移動機１００の場合測位は１０時３０分、及び１１時３０分に行われている。この場合、所望の時刻（今回の例では１１時）の直前である１０時３０分に測位された情報が選別される。位置算出部６０９は、その他の各ユーザについても同様に所望の時刻直前に測位された情報を選別する。
【００５１】
位置算出部６０９は、上記方法によって選別された、所望の時刻（１１時）直前に測位された情報を算出位置情報として算出することができる。
【００５２】
図２に戻り、対応付け部６０３は、位置算出部６０９が算出した算出位置情報の表現形式を、一定の範囲の広がりをもつ所望のエリア単位に対応付けて表現する表現形式へと変換する部分である。所望のエリア単位とは、メッシュ状でもよい。或いは、市町村等の行政区画をエリア単位としてもよい。或いは、図６に模式的に示すポロノイ図を用いてもよい。
【００５３】
図６において、中抜き円で示した位置がセクタの中心経度緯度を表す。この図に示すように、ポロノイ図とは、互いに隣接するセクタのセクタ中心経度緯度との２等分線で分割した図を言う。更に、セクタ単位の勢力図（サービスエリア図）が存在するなど、セクタと位置の対応情報があればそれを利用してもよい。
【００５４】
図７は、対応付け部６０３が、算出位置情報の表現形式を、一定の範囲の広がりをもつ所望のエリア単位に対応付けて表現する表現形式へと変換する方法を説明するための図である。ここでは所望のエリア単位の例として正方形のグリッドを利用する。図７において、各グリッドを一意に識別可能とするエリア単位識別子を各グリッドの左上に丸括弧内に記入する。移動機１００の位置が特定の一点として算出されれば（本明細書においては（Ｘ１，Ｙ１）等と表記している）対応する一つのエリア単位が特定される。今回の例では、例えば、ユーザＩＤが“１２３”であるユーザの算出位置情報は、（Ｘ１，Ｙ１）と表現され、対応するエリア単位は、エリア単位識別子が（３）であると表現される。
【００５５】
次に、位置算出部６０９が算出位置情報を算出する別の方法について図４、及び図７〜９を用いて説明する。
【００５６】
上記方法では、ユーザＩＤが“２３４”であるユーザの場合、算出位置情報は、１０時３０分に測位された情報（すなわち所望の時刻である１１時の直前に測位された情報）に基づいて（Ｘ７，Ｙ７）であると算出されている。
【００５７】
別の方法では、ユーザＩＤが“２３４”であるユーザは１０時３０分の次に１１時３０分においても測位されているため、この二つの情報（すなわち、所望の時刻の直前及び直後に測位された情報）を用いて１１時における位置を算出する。
【００５８】
この場合、所望の時刻である１１時の直前と直後の時刻の間は同じ速度で直進したとみなして、直前及び直後の時刻情報及び位置情報を按分することによって所望の時刻に存在したであろう位置を算出位置情報として算出する。
【００５９】
例えば、ユーザＩＤが“２３４”であるユーザの場合、所望の時刻（１１時）における算出位置情報を（Ｘ９，Ｙ９）とすると、位置算出部６０９は、「Ｘ９＝（Ｘ７＋Ｘ８）／２」、「Ｙ９＝（Ｙ７＋Ｙ８）／２」、の式によって算出位置情報を算出する。
【００６０】
これを対応付け部６０３がエリア単位に対応付けて表現する表現形式へと変換すると、図８のようになる。１１時３０分における位置情報である（Ｘ８，Ｙ８）、１０時３０分における位置情報である（Ｘ７，Ｙ７）、及び位置算出部６０９が算出する算出位置情報（Ｘ９，Ｙ９）の関係は、図８に示すように一直線上に並び、且つ対応する時刻情報と、位置情報を按分（今回の例では（Ｘ９，Ｙ９）は、（Ｘ７，Ｙ７）と（Ｘ８，Ｙ８）の中間）した位置となる。
【００６１】
この場合、対応付け部６０３は、ユーザＩＤが“２３４”であるユーザについて所望の時刻である１１時の位置はエリア単位識別子（４）（なお、上記直前に測位された位置情報のみを用いた場合エリア単位識別子は（１）であると判断されていた。図５及び図７参照）で表示されるエリア単位であると判断する。
【００６２】
以上説明したとおり、当該方法によってより現実に即した正確な算出位置情報を算出することが可能となる。
【００６３】
次に、位置算出部６０９が算出位置情報を算出する更に別の方法について説明する。上記別の方法では、所望の時刻の直前及び直後に測位された情報を用いたが、更に別の方法では直前に測位された複数の情報を用いる。
【００６４】
図４を用いて、ユーザＩＤが“７８９”であるユーザを例として説明する。ユーザＩＤが“７８９”であるユーザについては、９時（Ｘ４，Ｙ４）及び１０時（Ｘ５，Ｙ５）に測位が行われている。この２回に測位された位置情報から、その後も同じ速度で直進したと仮定して所望の時刻（１１時）における算出位置情報を算出する。
【００６５】
ユーザＩＤが“７８９”であるユーザの場合、所望の時刻（１１時）における算出位置情報を（Ｘ１０，Ｙ１０）とすると、位置算出部６０９は、「Ｘ１０＝（Ｘ５−Ｘ４）＋Ｘ５」、「Ｙ１０＝（Ｙ５−Ｙ４）＋Ｙ５」、の式によって算出位置情報を算出する。
【００６６】
これを対応付け部６０３がエリア単位に対応付けて表現する表現形式へと変換すると、図９のようになる。図９に示すように、ユーザＩＤが“７８９”であるユーザの９時における計測位置である（Ｘ４，Ｙ４）、及び１０時における計測位置である（Ｘ５，Ｙ５）が図９に示す位置であった場合、上記方法によって位置算出部６０９が算出した（Ｘ１０，Ｙ１０）は、図９にＢで示すように（Ｘ４，Ｙ４）から（Ｘ５，Ｙ５）へと引いた直線をそのまま（Ｘ４，Ｙ４）〜（Ｘ５，Ｙ５）間の距離分延ばした位置となる。
【００６７】
この場合、対応付け部６０３は、ユーザＩＤが“７８９”であるユーザについて所望の時刻である１１時の位置はエリア単位識別子（３）（なお、上記直前に測位された位置情報のみを用いた場合エリア単位識別子は（２）であると判断されていた。図５及び図７参照）で表示されるエリア単位であると判断する。
【００６８】
以上説明したとおり、この方法によってより現実に即した正確な算出位置情報を算出することが可能となる。
【００６９】
位置算出部６０９が算出位置情報を算出する方法は、上記の例に限定されるわけではない。その他に、例えば、同じ時間帯の前日の行動を考慮してもよい。また、上記方法では同じ速度で直線的に移動すると仮定して按分によって算出したが、道路などの路線を考慮してもよい。
【００７０】
図２に戻って、属性情報保持部６０７は、移動機１００のユーザの属性情報をユーザＩＤと関連付けて保持している部分である。図１０に属性情報保持部６０７が保持する属性情報の例を示す。図１０に示すように、属性情報には例えば性別、年齢、住所を含めてもよい。
【００７１】
属性判断部６０８は、属性情報保持部６０７が保持する属性情報に基づいて後述する分布情報（それは、算出位置情報を統合することによって得られる）を出力するために用いるべきか否かを判断する部分である。
【００７２】
具体的には、属性判断部６０８は、属性情報保持部６０７が保持する属性情報を参照することで所望の属性が一定の要件を満たしているか否かを判断する。一定の要件を満たしていると判断した場合には、属性判断部６０８は、対応する算出位置情報を後述する分布情報を出力するために用いると判断する。一定の要件を満たしていないと判断した場合には、属性判断部６０８は、対応する算出位置情報を後述する分布情報を出力するために用いないと判断する。
【００７３】
図１１には、属性「性別」（所望の属性）が“男性”である（一定の要件を満たしている）算出位置情報を用いた場合の例を示す。なお、所望の属性、及び一定の要件については自由に設定することができる。
【００７４】
例えば、属性を「年齢」とし、一定の要件を“１０歳以上３０歳未満”としてもよい。或いは、例えば属性を「住所」とし、一定の要件を“千代田区”としてもよい。
【００７５】
取得契機判断部６１０は、位置情報を後述する分布情報を出力するために用いるべきか否かを、位置情報取得契機に基づいて判断する部分である。
【００７６】
具体的には、取得契機判断部６１０は、図４に示す位置情報取得契機を参照し、それが所望の契機であるか否かを判断する。所望の契機であると判断した場合には取得契機判断部６１０は、対応する算出位置情報を後述する分布情報を出力するために用いると判断する。所望の契機でないと判断した場合には取得契機判断部６１０は、対応する算出位置情報を後述する分布情報を出力するために用いないと判断する。
【００７７】
所望の契機とは、自由に設定可能である。複数の所望の契機を設定し、それらの契機の何れかの契機に該当する場合に、取得契機判断部６１０は、対応する算出位置情報を後述する分布情報を出力するために用いると判断してもよい。
【００７８】
情報分析装置６００が取得契機判断部６１０を備えることによって、位置情報取得契機に応じた分布情報を得ることが可能となる。例えば、エリアを跨ぐことを位置情報取得契機とする位置情報には分布の偏りがあることが分かっている場合には、エリアを跨ぐ契機以外の契機のみを所望の契機として設定することで、偏りがあることが分かっている位置情報を排除することが可能となる。
【００７９】
出力部６０４は、属性判断部６０８によって分布情報を出力するために用いると判断され、且つ、取得契機判断部６１０によって分布情報を出力するために用いると判断された算出位置情報を統合することによって分布情報を算出し、算出した分布情報を出力する部分である。
【００８０】
具体的には、出力部６０４は、属性判断部６０８によって分布情報を出力するために用いると判断され、且つ、取得契機判断部６１０によって分布情報を出力するために用いると判断された算出位置情報の数を、対応付け部６０３によって対応付けられたエリア単位毎に集計（統合）することによってエリア単位毎の分布情報を算出する。
【００８１】
なお、本実施形態において、出力部６０４は、属性判断部６０８によって分布情報を出力するために用いると判断され、且つ、取得契機判断部６１０によって分布情報を出力すると判断された算出位置情報を統合しているが、それに限定しない。例えば、属性判断部６０８による判断を省略してもよい。また、取得契機判断部６１０による判断を省略してもよい。更に、属性判断部６０８、及び取得契機判断部６１０による判断の両方を省略してもよい。
【００８２】
本実施形態では、位置算出部６０９によって算出位置情報が算出された後に、属性判断部６０８、及び取得契機判断部６１０が上記判断をしているが、順番は逆でもよい。
【００８３】
ここでの「出力」は、表示出力及び印刷出力を広く含むことは言うまでもない。即ち、人口流動数情報は、ディスプレイ等に表示出力されてもよいし、プリンタ等から印刷出力されてもよいし、表示と印刷の両方で出力されてもよい。
【００８４】
出力方法は、具体的には、人口分布を色で表現してもよい。または、数字を記入してもよい。
【００８５】
［通信システムにて実行される処理の流れについて］
つぎに、このように構成された通信システム１０の処理について図１２を参照して説明する。
【００８６】
移動機１００から発信要求または位置登録要求が出力されると、ＲＮＣ３００では、それら要求に従って、移動機１００の位置測位が行われる（ステップＳ１０１）。すなわち、ＲＲＣコネクション要求がＲＮＣ３００(ＲＮＣ通信制御部３０２)にて受信されると、ＲＮＣ通信制御部３０２により、その要求に対してＲＲＣコネクションセットアップが移動機１００に送信される。そして、移動機１００からＲＲＣコネクションセットアップの完了信号が、ＲＮＣ通信制御部３０２により受信される（ステップＳ１０１）。ここで得られた信号の遅延値に基づいて、移動機１００のセクタ内におけるおおよその位置情報が測位部３０１により計算され、位置測位が行われる（ステップＳ１０２:測位ステップ）。
【００８７】
そして、ＲＮＣ３００では、ＲＮＣ通信制御部３０２により、移動機１００の位置情報と、そのテンポラリＩＤとが抽出される（ステップＳ１０３）。ＲＮＣ通信制御部３０２により、抽出された位置情報とテンポラリＩＤとは、Initial  UE  Messageに付加され、交換機４００に送信される（ステップＳ１０４:送信ステップ）。
【００８８】
交換機４００では、交換機通信制御部４０１により、Initial  UE  Messageが受信され、そして当該Initial  UE  Messageに含まれているテンポラリＩＤは、変換部４０２により移動機１００の電話番号に変換される（ステップＳ１０５）。そして、記憶部４０３に、変換された電話番号、測位がなされた時刻としての時刻情報、及び位置情報が対応付けて記憶される（ステップＳ１０６）。
【００８９】
記憶部４０３に記憶された電話番号、時刻情報、及び位置情報は、管理センタ５００にて定期的に送信され、または管理センタ５００からの要求に従って、取得される（ステップＳ１０７）。
【００９０】
具体的には、管理センタは、（１）所定周期（例えば約一時間周期）の所定タイミングが到来したとき、（２）発着信時、及び（３）位置登録エリアを越えて移動したときの少なくとも一つを契機として時刻情報及び位置情報を取得する。
【００９１】
管理センタ５００は、ユーザＩＤ−ＰＲＡＣＨ  ＰＤ  ＧＡＩ対応情報に基づいて、ユーザ毎に、所望の時刻における移動機１００が存在したであろう位置に関する情報である算出位置情報を算出する（ステップＳ１０８:位置算出ステップ）。
【００９２】
管理センタ５００は、ステップＳ１０８において算出した算出位置情報の表現形式を、一定の範囲の広がりをもつエリア単位に対応付けて表現する表現形式へと変換する（ステップＳ１０９）。
【００９３】
管理センタ５００は、算出位置情報を、分布情報を出力するために用いるべきか否かについて属性情報に基づいて判断し、用いると判断された算出位置情報のみを選別する（ステップＳ１１０）。
【００９４】
管理センタ５００は、算出位置情報を、分布情報を出力するために用いるべきか否かについて位置情報取得契機に基づいて判断し、用いると判断された算出位置情報のみを選別する（ステップＳ１１１）。
【００９５】
管理センタ５００は、算出位置情報を統合することによって分布情報を算出し、算出した分布情報を企業、官公庁、或いは個人等に対して出力する（ステップＳ１１２:出力ステップ）。
【００９６】
［作用及び効果について］
次に、本実施形態の通信システム１０の作用及び効果について説明する。
【００９７】
本実施形態の通信システム１０では、移動機１００の位置情報、及び測位された時刻に関する情報を簡易に且つ速やかに収集して、それらの情報に基づいて移動機１００の算出位置情報を統合した分布情報を出力することにより、巨視的な人口流動に関するデータ調査結果を簡易に且つ速やかに得ることが可能となる。
【００９８】
また、測位部３０１は、移動機１００が発信を行ったとき、移動機１００が通信を受信したとき、及び、ＢＴＳ２００により形成される領域であって移動機１００が自己の位置をＲＮＣ３００に対して登録する単位領域である位置登録エリアの境界を超えて移動機が移動したとき、を契機として移動機１００の位置を測位している。そのため、各種通信機器への追加的な付加を抑制した上で測位を実行することが可能となる。
【００９９】
また、測位部３０１は、所定の周期の所定タイミングが到来したときを契機として移動機１００の位置を測位している。そのため、該所定の周期に一度は必ず測位を実行することが可能となる。
【０１００】
また、情報分析装置６００は、位置算出部６０９が算出した算出位置情報の表現形式を、一定の範囲の広がりをもつエリア単位に対応付けて表現する表現形式へと変換している。エリア単位を所望の単位（例えば１００メートル四方、１０キロメートル四方、或いは市町村など行政区画）とすることによって要求に応じた精度で分布情報を出力することが可能となる。
【０１０１】
また、情報分析装置６００は、通信システム１０を利用するユーザの属性を表す属性情報を、識別情報と関連付けて保持する属性情報保持部６０７と、分布情報を出力するために算出位置情報を用いるべきか否かを、属性情報に基づいて判断する属性判断部６０８と、を更に備えている。そのため、所望の属性毎の分布情報を出力することが可能となる。
【０１０２】
また、情報分析装置６００は、分布情報を出力するために算出位置情報を用いるべきか否かを、測位部３０１が移動機１００を測位する契機に基づいて判断する取得契機判断部６１０を更に備えている。そのため、測位部３０１が移動機１００の位置を測位した契機毎の分布情報を出力することが可能となる。
【０１０３】
［第２実施形態］
図１３は、第２実施形態の通信システム１０ａのシステム構成図である。図１３に示すように、この通信システム１０ａは、新しい通信方式であるＬＴＥ（Long  Term  Evolution）に適用した場合のシステム構成であり、移動機１００、ｅＮＢ（Evolution  Node  B）２５０、交換機４００、および管理センタ５００を含んで構成されている。また、この管理センタ５００は、社会センサユニット５０１、ペタマイニングユニット５０２、モバイルデモグラフィーユニット５０３、および可視化ソリューションユニット５０４から構成されている。なお、ｅＮＢ２５０は、ＢＴＳ２００およびＲＮＣ３００の両方の機能を包含したものである。
【０１０４】
この第２実施形態は、ＬＴＥに適用した場合のシステム構成であって、その具体的な処理内容は、上述の第１実施形態と同様であるため、その詳細説明は割愛する。なお、第１実施形態において、そのプロトコルは、ＲＡＮＡＰ（Radio  Access  Network  Application  Part）であるが、第２実施形態においては、ＬＴＥで使用するＳ１ＡＰ（S1  Application  protocol）が用いられており、Initial  UE  Messageについては、Ｓ１ＡＰにおいても同信号が用いられている。
【０１０５】
また、第１実施形態、第２実施形態においては、第三世代携帯電話（３Ｇ）システムを前提として説明していたが、ＧＳＭ（Global  System  for  Mobile  Communications）においても適用可能である。
【産業上の利用可能性】
【０１０６】
本発明によれば、巨視的な人口分布に関するデータを簡易に且つ速やかに（準リアルタイムに）収集し、簡易に且つ速やかに調査結果を得ることができる。
【符号の説明】
【０１０７】
１０、１０ａ…通信システム、１００…移動機、２００…ＢＴＳ、２５０…ｅＮＢ、３００…ＲＮＣ、３０１…測位部、３０２…ＲＮＣ通信制御部、４００…交換機、４０１…交換機通信制御部、４０２…変換部、４０３…記憶部、５００…管理センタ、５０１…社会センサユニット、５０２…ペタマイニングユニット、５０３…モバイルデモグラフィーユニット、５０４…可視化ソリューションユニット、６００…情報分析装置、６０１…情報分析装置通信制御部、６０３…対応付け部、６０４…出力部、６０７…属性情報保持部、６０８…属性判断部、６０９…位置算出部、６１０…取得契機判断部、7００…加入者プロファイル情報記憶部。
【図１】
2010116900.tif 000003
【図２】
2010116900.tif 000004
【図３】
2010116900.tif 000005
【図４】
2010116900.tif 000006
【図５】
2010116900.tif 000007
【図６】
2010116900.tif 000008
【図７】
2010116900.tif 000009
【図８】
2010116900.tif 000010
【図９】
2010116900.tif 000011
【図１０】
2010116900.tif 000012
【図１１】
2010116900.tif 000013
【図１２】
2010116900.tif 000014
【図１３】
2010116900.tif 000015
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムであって、
前記無線ネットワーク制御装置は、
所定の契機に前記移動機の位置を測位する測位部と、
前記測位部が測位した前記移動機の位置に関する情報としての位置情報、該移動機を一意に識別可能とする識別子としての識別情報、前記測位部が前記移動機の位置を測位した時刻に関する情報としての時刻情報、及び、前記測位部が測位した契機に関する契機情報を前記情報分析装置に送信する送信部と、を備え、
前記情報分析装置は、
所定の時刻において前記移動機が存在する位置に関する算出位置情報を、前記位置情報、前記識別情報、及び前記時刻情報に基づいて算出する位置算出部と、
分布情報を出力するために前記算出位置情報を用いるべきか否かを、前記契機情報に基づいて判断する取得契機判断部と、
前記取得契機判断部による判断結果に基づいて、前記算出位置情報を統合することによって分布情報を算出し、算出した分布情報を出力する出力部と、を備える、
通信システム。
【請求項２】
前記測位部は、
前記移動機が発信を行ったとき、
前記移動機が通信を受信したとき、
前記基地局により形成される領域であって前記移動機が自己の位置を前記無線ネットワーク制御装置に対して登録する単位領域である位置登録エリア、の境界を超えて前記移動機が移動したとき、及び、
所定の周期の所定タイミングが到来したとき、
のうち少なくとも何れか一つを契機として、前記移動機の位置を測位する請求項１に記載された通信システム。
【請求項３】
前記情報分析装置は、前記位置算出部が算出した算出位置情報の表現形式を、一定の範囲の広がりをもつエリア単位に対応付けて表現する表現形式へと変換する対応付け部を更に備える請求項１又は２に記載の通信システム。
【請求項４】
前記情報分析装置は、前記通信システムを利用するユーザの属性を表す属性情報を、前記識別情報と関連付けて保持する属性情報保持部と、
前記算出位置情報を前記分布情報を出力するために用いるべきか否かを、前記属性情報に基づいて判断する属性判断部と、
を更に備える請求項１〜３の何れか１項に記載の通信システム。
【請求項５】
移動機が在圏するセクタを制御する基地局を制御する無線ネットワーク制御装置と通信可能な状態で接続された情報分析装置であって、
前記無線ネットワーク制御装置が所定の契機に測位した前記移動機の位置に関する情報としての位置情報と、該移動機を一意に識別可能とする識別子としての識別情報と、前記無線ネットワーク制御装置が前記移動機を測位した時刻に関する情報としての時刻情報と、前記無線ネットワーク制御装置が測位した契機に関する契機情報とを受信する受信部と、
所定の時刻において前記移動機が存在する位置に関する算出位置情報を、前記位置情報、前記識別情報、及び前記時刻情報に基づいて算出する位置算出部と、
分布情報を出力するために前記算出位置情報を用いるべきか否かを、前記契機情報に基づいて判断する取得契機判断部と、
前記取得契機判断部による判断結果に基づいて、前記算出位置情報を統合することによって分布情報を算出し、算出した分布情報を出力する出力部と、
を備える情報分析装置。
【請求項６】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムにおいて実行される情報分析方法であって、
前記無線ネットワーク制御装置が、前記移動機の位置を所定の契機に測位する測位ステップと、
前記無線ネットワーク制御装置が、前記測位ステップにおいて測位された前記移動機の位置に関する情報としての位置情報、該移動機を一意に識別可能とする識別子としての識別情報、前記測位ステップにおいて前記移動機の位置が測位された時刻に関する情報としての時刻情報、及び、前記測位ステップにおいて測位した契機に関する契機情報を前記情報分析装置に送信する送信ステップと、
前記情報分析装置が、所定の時刻における前記移動機が存在する位置に関する算出位置情報を、前記位置情報、前記識別情報、及び前記時刻情報に基づいて算出する位置算出ステップと、
前記情報分析装置が、分布情報を出力するために前記算出位置情報を用いるべきか否かを、前記契機情報に基づいて判断する取得契機判断ステップと、
前記情報分析装置が、前記取得契機判断ステップにおける判断結果に基づいて、前記算出位置情報を統合することによって分布情報を算出し、算出した分布情報を出力する出力ステップと、
を備える情報分析方法。
【手続補正２】
【補正対象書類名】明細書
【補正対象項目名】０００７
【補正方法】変更
【補正の内容】
【０００７】
前記課題を解決するため、本発明の一側面に係る通信システムは、基地局が制御するセクタに在圏する移動機と、基地局を制御する無線ネットワーク制御装置と、無線ネットワーク制御装置と通信可能な状態で接続された情報分析装置と、を含んで構成される通信システムであって、無線ネットワーク制御装置は、所定の契機に移動機の位置を測位する測位部と、測位部が測位した移動機の位置に関する情報としての位置情報、該移動機を一意に識別可能とする識別子としての識別情報、及び測位部が移動機の位置を測位した時刻に関する情報としての時刻情報、及び、測位部が測位した契機に関する契機情報を情報分析装置に送信する送信部と、を備え、情報分析装置は、所定の時刻において移動機が存在する位置に関する算出位置情報を、位置情報、識別情報、及び時刻情報に基づいて算出する位置算出部と、分布情報を出力するために算出位置情報を用いるべきか否かを、契機情報に基づいて判断する取得契機判断部と、取得契機判断部による判断結果に基づいて、算出位置情報を統合することによって分布情報を算出し、算出した分布情報を出力する出力部と、を備える。
【手続補正３】
【補正対象書類名】明細書
【補正対象項目名】０００８
【補正方法】変更
【補正の内容】
【０００８】
この構成により、移動機の位置情報、及び測位された時刻に関する情報を簡易に且つ速やかに収集して、それらの情報に基づいて移動機の算出位置情報を統合した分布情報を出力することにより、巨視的な人口分布に関するデータ調査結果を簡易に且つ速やかに得ることが可能となる。また、分布情報を出力するために算出位置情報を用いるべきか否かを、契機情報に基づいて判断し、当該判断結果に基づいて分布情報を算出し出力するため、測位部が移動機の位置を測位した契機毎の分布情報を出力することが可能となる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
上記課題を解決するために、本発明の一側面に係る情報分析装置は、移動機が在圏するセクタを制御する基地局を制御する無線ネットワーク制御装置と通信可能な状態で接続された情報分析装置であって、無線ネットワーク制御装置が所定の契機に測位した移動機の位置に関する情報としての位置情報と、該移動機を一意に識別可能とする識別子としての識別情報と、無線ネットワーク制御装置が移動機を測位した時刻に関する情報としての時刻情報と、前記無線ネットワーク制御装置が測位した契機に関する契機情報とを受信する受信部と、所定の時刻において移動機が存在する位置に関する算出位置情報を、位置情報、識別情報、及び時刻情報に基づいて算出する位置算出部と、分布情報を出力するために前記算出位置情報を用いるべきか否かを、前記契機情報に基づいて判断する取得契機判断部と、前記取得契機判断部による判断結果に基づいて、算出位置情報を統合することによって分布情報を算出し、算出した分布情報を出力する出力部と、を備える。
【手続補正７】
【補正対象書類名】明細書
【補正対象項目名】００１９
【補正方法】変更
【補正の内容】
【００１９】
この構成により、移動機の位置情報、及び測位された時刻に関する情報を簡易に且つ速やかに収集して、それらの情報に基づいて移動機の算出位置情報を統合した分布情報を出力することにより、巨視的な人口分布に関するデータ調査結果を簡易に且つ速やかに得ることが可能となる。また、分布情報を出力するために算出位置情報を用いるべきか否かを、契機情報に基づいて判断し、当該判断結果に基づいて分布情報を算出し出力するため、無線ネットワーク制御装置が移動機の位置を測位した契機毎の分布情報を出力することが可能となる。
【手続補正８】
【補正対象書類名】明細書
【補正対象項目名】００２０
【補正方法】変更
【補正の内容】
【００２０】
上記課題を解決するために、本発明の一側面に係る情報分析方法は、基地局が制御するセクタに在圏する移動機と、基地局を制御する無線ネットワーク制御装置と、無線ネットワーク制御装置と通信可能な状態で接続された情報分析装置と、を含んで構成される通信システムにおいて実行される情報分析方法であって、無線ネットワーク制御装置が、移動機の位置を所定の契機に測位する測位ステップと、無線ネットワーク制御装置が、測位ステップにおいて測位された移動機の位置に関する情報としての位置情報、該移動機を一意に識別可能とする識別子としての識別情報、測位ステップにおいて移動機の位置が測位された時刻に関する情報としての時刻情報、及び、前記測位ステップにおいて測位した契機に関する契機情報を情報分析装置に送信する送信ステップと、情報分析装置が、所定の時刻における移動機が存在する位置に関する算出位置情報を、位置情報、識別情報、及び時刻情報に基づいて算出する位置算出ステップと、情報分析装置が、分布情報を出力するために算出位置情報を用いるべきか否かを、契機情報に基づいて判断する取得契機判断ステップと、情報分析装置が、取得契機判断ステップにおける判断結果に基づいて、算出位置情報を統合することによって分布情報を算出し、算出した分布情報を出力する出力ステップと、を備える。
【手続補正９】
【補正対象書類名】明細書
【補正対象項目名】００２１
【補正方法】変更
【補正の内容】
【００２１】
この構成により、移動機の位置情報、及び測位された時刻に関する情報を簡易に且つ速やかに収集して、それらの情報に基づいて移動機の算出位置情報を統合した分布情報を出力することにより、巨視的な人口分布に関するデータ調査結果を簡易に且つ速やかに得ることが可能となる。また、分布情報を出力するために算出位置情報を用いるべきか否かを、契機情報に基づいて判断し、当該判断結果に基づいて分布情報を算出し出力するため、無線ネットワーク制御装置が移動機の位置を測位した契機毎の分布情報を出力することが可能となる。
【国際調査報告】
2010116900.tif 000016
2010116900.tif 000017
2010116900.tif 000018
2010116900.tif 000019